(57)【特許請求の範囲】
【請求項１】
家具（13）と、前記家具（13）に移動可能に取り付けられた折り畳み式スライドドア（2）と、前記折り畳み式スライドドア（2）を閉じた位置から開いた位置に向けて射出する射出装置（1）と、を含む構造物であって、前記折り畳み式スライドドア（2）は、閉じた位置にあるときは仮想平面に配置されており、前記折り畳み式スライドドア（2）は、少なくとも仮想平面と垂直な方向（11）に移動可能であると共に、仮想平面と平行な方向（12）にも移動可能である構造物において、
前記射出装置（1）は、ユーザの手動によりエネルギーが充填できる力蓄積手段（7）と、力蓄積手段（7）によって作用される射出部材（5）とを有し、
前記力蓄積手段（7）は、折り畳み式スライドドア（2）が引き続いて開く方向であって仮想平面に平行な方向（12）に摺動運動することよってエネルギーが充填され、
前記射出装置（1）は、力蓄積手段（7）にエネルギーを充填する充填装置（14,15）を有すると共に、少なくとも力蓄積手段（7）にエネルギーが充填される間、折り畳み式スライドドア（2）が充填装置（14,15）に連結されるための連結手段（16）を有し、
前記連結手段（16）は、射出装置（1）の取り付け位置において、仮想平面に平行に移動可能である
ことを特徴とする構造物。
【請求項２】
射出装置（1）は、エネルギーが充填された力蓄積手段（7）によって加えられる力を受ける射出部材（5）を解放可能にロックするロック装置（8,9）を有し、折り畳み式スライドドア（2）に圧力を加えることによって、射出装置（1）が所定位置にもたらされると、ロック装置（8,9）のロックが解除されることを特徴とする、請求項１に記載の構造物。
【請求項３】
折畳みスライドドア（2）は、少なくとも2つのヒンジ式に相互連結された部分（3,4）を含み、これらの部分（3,4）は、射出部材（5）によって、共通の仮想平面内に配置された閉じた位置から移動して、180°とは異なる内角（6）を含む開いた位置に折り曲げ可能に開くことができ、開く際に起こる折り畳み方向は、実質的に仮想平面に垂直な方向（11）に行われることを特徴とする、請求項２に記載の構造物。
【請求項４】
ロック装置（8,9）は、少なくとも2つのヒンジ式に相互連結された部分（3,4）がヒンジで相互連結されている領域において折畳み式スライドドア（2）に圧力を加えることによって解除可能であることを特徴とする、請求項３に記載の構造物。
【請求項５】
充填装置は、ローラーの形態である制御部材（14）と、少なくとも力蓄積手段（7）にエネルギーが充填される際に、制御部材（14）が対抗する制御輪郭部材（15）を含むことを特徴とする、請求項１から４のいずれか１項に記載の構造物。
【請求項６】
前記制御部材（14）は連結手段（16）に配置されたとことを特徴とする、請求項５に記載の構造物。
【請求項７】
射出部材（5）は、折り畳み式スライドドア（2）が少なくとも折り畳み動作または射出動作を開始すると、折り畳み式スライドドア（2）と接触する自由レバー端部（18）を備えた少なくとも1つの回転可能に取り付けたレバー（17）を有する、ここで
自由レバー端部（18）に、回転可能にローラー（19）が取り付けられていることを特徴とする、請求項１から６のいずれか１項に記載の構造物。
【請求項８】
力蓄積手段（7）は、固定的に配置されたバネホルダ（20,21）と、それに対向して移動可能なバネホルダ（22）との間に配置された少なくとも1つのバネを含むことを特徴とする、請求項１から７のいずれか１項に記載の構造物。
【請求項９】
射出装置（1）は、充填された力蓄積手段（7）によって加えられる力を受ける射出部材（5）を解放可能に係止するロック装置（8,9）を有する、
ここで、移動可能なバネホルダ（22）は、少なくとも1つのスライダ（23）を介してロック装置（8,9）に接続されていることを特徴とする、請求項８に記載の構造物。
【請求項１０】
射出装置（1）は、充填された力蓄積手段（7）によって加えられる力を受ける射出部材（5）を解放可能に係止するロック装置（8,9）を有する、
ここで、移動可能なバネホルダ（22）は、少なくとも1つの中間レバー（24）を介して、射出部材（5）に接続されていることを特徴とする、請求項８に記載の構造物。
【請求項１１】
射出装置（1）は、充填された力蓄積手段（7）によって加えられる力を受ける射出部材（5）を解放可能に係止するロック装置（8,9）を有する、
ここで、移動可能なバネホルダ（22）は、少なくとも1つの力伝達部材（25）を介して、充填装置（14,15）に接続されることを特徴とする、請求項８に記載の構造物。
【請求項１２】
射出装置（1）は、力蓄積手段（7）によって加えられる力を受ける射出部材（5）を解放可能に係止するロック装置（8,9）を有し、ロック装置は、係止部材（9）を支持することができる湾曲曲線の係止部（8）を含むことを特徴とする、請求項１から９のいずれか１項に記載の構造物。
【請求項１３】
家具（13）は、折り畳み式スライドドア（2）を収納するためのキャビティ（26）を有すると共に、装置は、折り畳み式スライドドア（2）をキャビティ内に収納された位置と、キャビティの外側に排出の位置との間で移動させるための機械的駆動装置を有することを特徴とする請求項１に記載の構造物。
【請求項１４】
射出装置（1）は、折り畳み式スライドドア（2）を少なくとも部分的にキャビティ（26）の方向に移動を開始したときに、移動させるように構成されたことを特徴とする請求項１３に記載の構造物。
【請求項１５】
折り畳み式スライドドアは、少なくとも2つのヒンジ式に相互接続された部分（3,4）を含み、該部分（3,4）は、折り畳まれた位置と開かれた位置をとることができ、構造物は部分（3,4）を折り畳まれた位置から開かれた位置に展開する展開装置を含むことを特徴とする請求項１３から１４のいずれか１項に記載の構造物。
【請求項１６】
家具（13）に対して1つ以上の規定された位置に達する直前に折り畳み式スライドドア（2）の動きを減衰させるための1つ以上の減衰装置が設けられていることを特徴とする請求項１３から１５のいずれか１項に記載の構造物。
【請求項１７】
請求項１に記載の構造物において用いられる射出装置（1）。
【発明の詳細な説明】
【技術分野】
【０００１】
本発明は、家具に可動に取り付けられた折り畳み式スライドドアを閉じた位置から開いた位置に射出するための射出装置に関する。折り畳み式スライドドアは、折り畳み式スライドドアが閉じた位置にあるときは仮想平面内に配置される。折り畳み式スライドドアは、仮想平面に垂直な方向に動くことができ、且つ仮想平面に平行な方向に移動可能である。また、本発明は、家具と、家具に移動可能に取り付けられた折り畳み式スライドドアと、および射出装置を含む構造物に関する。
射出装置の例は、独国特許第91 05 187号明細書に記載がある。この射出装置の問題点は、技術的に複雑で高価なことである。例えば、電動機を必要とするので、問題を生じやすく高価である。
【発明の概要】
【発明が解決しようとする課題】
【０００２】
従って、本発明の目的は、技術的に知られている欠点を回避し、特に技術的に単純で安価な改良された射出装置を提供することである。
【課題を解決するための手段】
【０００３】
この目的は、独立請求項1の特徴によって達成される。
本発明の射出装置は、ユーザによって手動で充填される力蓄積手段と、力蓄積手段によって作用されることができる射出部材とを含む。
【０００４】
力蓄積手段は、折り畳み式スライドドアのスライド移動によって充填することができる。この充填は、折り畳み式スライドドアが仮想平面に平行な方向に移動する時、好ましくは、折り畳み式スライドドアの射出が始まった直後で、引き続き開かれる過程で行われる。
【０００５】
射出装置は、充填された力蓄積手段によって加えられる力を受ける射出部材を解放可能に係止する係止装置を有する。折り畳み式スライドドアを押圧し、射出装置が所定位置に達したときに、ロック装置のロックを解除することができる。
【０００６】
代替的にまたは追加的に次の構成を採ることができる。折り畳み式スライドドアは、少なくとも2つのヒンジ式に相互接続された部分を含む。
これらの部分は、共通の仮想平面内に配置されている位置、すなわち閉じた位置から、それらの部分が互いに180°とは異なる内角を含む位置、すなわち開いた位置まで、射出部材によって折り畳まれながら開くことができる。開くときの、折り畳まれる動作は、実質的に仮想平面に垂直な方向に行われる。
【０００７】
ロック装置が設けられ、折り畳み式スライドドアが少なくとも2つのヒンジ式に相互連結された部分を含む場合、さらなる構成として、少なくとも2つの部分において、ヒンジ式に相互連結されている領域に折り畳み式スライドドアを押圧すると、ロック装置のロックが解除される構成を提供する。
【０００８】
本発明の有益な構成は、添付の請求項5から11に定義されている。
上で述べたように、本発明はまた、家具、家具に移動可能に取り付けられた折り畳み式スライドドア、および本発明に係る射出装置を含む構造物を提供する。
【０００９】
この場合、家具は、特に折り畳まれたスライドドアを収納するための長手のキャビティを有する。構造物は、好ましくは、折り畳み式スライドドアをキャビティ内に収納する位置とキャビティの外側に排出する位置との間で動かすための特に好適な機械的駆動装置を有する。キャビティ内に収納された位置は、キャビティ内に完全に収納された位置を含むことが好ましい。折り畳み式スライドドアをキャビティの中に、そしてキャビティの外に移動させることは、駆動装置を設けることによって著しく容易になる。
【００１０】
射出装置が折り畳み式スライドドアを動かすとき、すなわち折り畳み式スライドドアの開き始めのとき、折り畳み式スライドドアをキャビティの方向に少なくとも部分的に動かすようにすることが特に有効である。
【００１１】
折り畳み式スライドドアが少なくとも2枚のヒンジ式に相互接続されたドア板を含み、ドア板が折り畳まれた位置と広げられた位置をとることができる場合、ドア板を折り畳まれた位置から広げられた位置へ展開する展開装置を含むことで、ユーザにとってさらに操作を容易にすることができる。
【００１２】
更に、折り畳み式スライドドアの動きを制動するための1つまたは複数の減衰装置を、家具に関連して1つまたは複数の規定された位置に達する直前の位置に設けてもよい。家具に関連するこれら位置の定義は、次の通りである。
-閉じた位置とは、折り畳み式スライドドアの少なくとも2枚のドア板が共通の仮想平面に配置された位置である。
-開いた位置とは、折り畳み式スライドドアの少なくとも2枚のドア板が互いに180°とは異なる内角を含む位置である。
-折り畳み式スライドドアの完全に開いた位置とは、家具の内部が自由にアクセスできる位置である。
-家具が折り畳み式スライドドアを収納するためのキャビティを有する場合、キャビティの外側に排出して位置、および/またはキャビティ内に収納した位置とは、家具の内部が自由にアクセスできる位置である。
【図面の簡単な説明】
【００１３】
【図１ａ】本発明の実施形態に係る射出装置の動作モードを示し、家具製品の内部から見た射出装置の斜視図。
【図１ｂ】本発明の実施形態に係る射出装置の動作モードを示し、家具製品の内部から見た射出装置の一部を省略した部分斜視図。
【図１ｃ】本発明の実施形態に係る射出装置の動作モードを示し、折り畳み式スライドドアを備えた家具の斜視図。
【図２ａ】本発明の実施形態に係る射出装置の動作モードを示し、家具製品の内部から見た射出装置の斜視図。
【図２ｂ】本発明の実施形態に係る射出装置の動作モードを示し、家具製品の内部から見た射出装置の一部を省略した部分斜視図。
【図２ｃ】本発明の実施形態に係る射出装置の動作モードを示し、折り畳み式スライドドアを備えた家具の斜視図。
【図３ａ】本発明の実施形態に係る射出装置の動作モードを示し、家具製品の内部から見た射出装置の斜視図。
【図３ｂ】本発明の実施形態に係る射出装置の動作モードを示し、家具製品の内部から見た射出装置の一部を省略した部分斜視図。
【図３ｃ】本発明の実施形態に係る射出装置の動作モードを示し、折り畳み式スライドドアを備えた家具の斜視図。
【図４ａ】本発明の実施形態に係る射出装置の動作モードを示し、家具製品の内部から見た射出装置の斜視図。
【図４ｂ】本発明の実施形態に係る射出装置の動作モードを示し、家具製品の内部から見た射出装置の一部を省略した部分斜視図。
【図４ｃ】本発明の実施形態に係る射出装置の動作モードを示し、折り畳み式スライドドアを備えた家具の斜視図。
【図５ａ】本発明の実施形態に係る射出装置の動作モードを示し、家具製品の内部から見た射出装置の斜視図。
【図５ｂ】本発明の実施形態に係る射出装置の動作モードを示し、家具製品の内部から見た射出装置の一部を省略した部分斜視図。
【図５ｃ】本発明の実施形態に係る射出装置の動作モードを示し、折り畳み式スライドドアを備えた家具の斜視図。
【図６ａ】本発明の実施形態に係る射出装置の動作モードを示し、家具製品の内部から見た射出装置の斜視図。
【図６ｂ】本発明の実施形態に係る射出装置の動作モードを示し、家具製品の内部から見た射出装置の一部を省略した部分斜視図。
【図６ｃ】本発明の実施形態に係る射出装置の動作モードを示し、折り畳み式スライドドアを備えた家具の斜視図。
【図７ａ】本発明の実施形態に係る射出装置の動作モードを示し、家具製品の内部から見た射出装置の斜視図。
【図７ｂ】本発明の実施形態に係る射出装置の動作モードを示し、家具製品の内部から見た射出装置の一部を省略した部分斜視図。
【図７ｃ】本発明の実施形態に係る射出装置の動作モードを示し、折り畳み式スライドドアを備えた家具の斜視図。
【図８ａ】本発明の実施形態に係る射出装置の動作モードを示し、家具製品の内部から見た射出装置の斜視図。
【図８ｂ】本発明の実施形態に係る射出装置の動作モードを示し、家具製品の内部から見た射出装置の一部を省略した部分斜視図。
【図８ｃ】本発明の実施形態に係る射出装置の動作モードを示し、折り畳み式スライドドアを備えた家具の斜視図。
【図９ａ】本発明の実施形態に係る射出装置の動作モードを示し、家具製品の内部から見た射出装置の斜視図。
【図９ｂ】本発明の実施形態に係る射出装置の動作モードを示し、家具製品の内部から見た射出装置の一部を省略した部分斜視図。
【図９ｃ】本発明の実施形態に係る射出装置の動作モードを示し、折り畳み式スライドドアを備えた家具の斜視図。
【図１０ａ】本発明の実施形態に係る射出装置の動作モードを示し、家具製品の内部から見た射出装置の斜視図。
【図１０ｂ】本発明の実施形態に係る射出装置の動作モードを示し、家具製品の内部から見た射出装置の一部を省略した部分斜視図。
【図１０ｃ】本発明の実施形態に係る射出装置の動作モードを示し、折り畳み式スライドドアを備えた家具の斜視図。
【図１１ａ】本発明の実施形態に係る射出装置の動作モードを示し、家具製品の内部から見た射出装置の斜視図。
【図１１ｂ】本発明の実施形態に係る射出装置の動作モードを示し、家具製品の内部から見た射出装置の一部を省略した部分斜視図。
【図１１ｃ】本発明の実施形態に係る射出装置の動作モードを示し、折り畳み式スライドドアを備えた家具の斜視図。
【図１２ａ】本発明の実施形態に係る射出装置の動作モードを示し、家具製品の内部から見た射出装置の斜視図。
【図１２ｂ】本発明の実施形態に係る射出装置の動作モードを示し、家具製品の内部から見た射出装置の一部を省略した部分斜視図。
【図１２ｃ】本発明の実施形態に係る射出装置の動作モードを示し、折り畳み式スライドドアを備えた家具の斜視図。
【図１３】本発明の実施形態に係る射出装置の分解斜視図。
【発明を実施するための形態】
【００１４】
本発明の好ましい実施形態による射出装置の基本的な構造は、図１３の分解図を参照することによって理解することができる。
【００１５】
射出装置（図１３以外の図では参照符号1で付す。）は、ベース部材21を含み、ベース部材21は家具製品の家具カーカスに固定して設けられている。
【００１６】
ベース部材21は、複数のガイドトラック53，54，59を有する。ガイドトラック53は、連結部材16上に配置されたスタッド47を案内するために設けられている。ガイドトラック54は、ロック部材9に設けたピン62を案内する働きをする。ガイドトラック59は、スライダ23を案内するために設けられ、スライダ23にはロック部材9が回転可能に保持されている。ガイドトラック54は、カーディオイドカーブ状（ハート形曲線または湾曲曲線）の係止部8を含み、係止部8に対しロック部材9またはロック部材9に設けたピン62を支持することができる。
【００１７】
ベース部材21には、カバー50が設けられており、カバー50は、スライダ23および連結部材16を保持する。カバー50には、ガイドトラック48，51が形成され、ガイドトラック48，51により、連結部材16とスライダ23とがベース部材21に対して実質的に直線的に変位する。射出装置はさらに、第1端60および第2端61を有する引っ張りバネで構成される力蓄積手段7を含む。第1端60は、中間部材20を介してベース部材21に固定して接続されている。バネの第2端61は、ベース部材21に対して移動可能なバネホルダ22に接続されている。移動可能なバネホルダ22は、中間レバー24に形成されている。中間レバー24とスライダ23は、それぞれの固定場所46，58において、互いに回転可能に取り付けられている。一方、中間レバー24と射出部材5は、それぞれの固定場所45，57において、互いに回動可能に接続されている。固定場所45は中間レバー24に、そして固定場所57は射出部材5に設けられている。
【００１８】
射出部材5は、自由なレバー端18を有するレバー17で構成される。自由なレバー端部18には、折り畳み式スライドドアまたはそれに接続された部材と接触するために、回転可能に取り付けられたローラー19が配置されている。これは、少なくとも開く時の折り畳み運動において利用される。レバー17とベース部材21は、それぞれの固定場所43，52において、回転可能に接続されている。
【００１９】
射出装置はさらに、力蓄積手段7に力を貯める充填装置を含む。充填装置の主要な構成部材は、制御輪郭部材15であり、その一方は、力伝達部材25を介して射出部材5に回転可能に接続されている。この接続のため、射出部材5であるレバー17は固定場所42を有し、制御輪郭部材15は固定場所41を有し、力伝達部材25は固定場所39，40を有する。制御輪郭部材15の他方は、ベース部材21に回転可能に接続されている。この接続は、制御輪郭部材15の固定場所44と、ベース部材21の固定場所56を接続する。固定手段は、回転可能な接続を確実にし、カバー50に形成した開口49を貫通する。充填装置のさらに別の主要な構成部材は、制御部材14であり、それはローラーの形態で提供され、連結部材16に設けられている。制御部材14は、カバー50のガイドトラック48に沿って移動可能に設けられている。
【００２０】
連結部材16は、少なくとも力蓄積手段7に力が充填されたときに折り畳み式スライドドアを充填装置に動的に連結するためのものである。連結部材16は、折り畳み式スライドドア（例えば、図1a参照）に設けた被連結部材29の一部を一時的に受け入れ、連結するための凹部55を有する。
【００２１】
図1〜図12を参照して、射出装置1の動作モードを詳細に説明する。
図1a〜図1cは、扉2が閉じた状態を示す。扉2は、ヒンジ式で相互連結された2枚のドア板3，4を含み、ドア板3，4は、折り畳み式スライドドアの形態で、家具13に移動可能に取り付けられている。その閉じた状態では、2枚のドア板3，4は、1枚の共通した仮想平面内に配置される。さらに、その閉じた状態において、折り畳み式スライドドアは家具13の内部を閉鎖する。
【００２２】
家具13は、上パネル27、下パネル35、後壁36、および複数の側壁30，31，33で形成された家具カーカスを含む。側壁30，31，33は、互いにほぼ平行に配置されており、互いに離間して配置されている（図1c〜図12cや図6cを参照）。家具13はさらに、折り畳み式スライドドア2を収納するための縦長のキャビティ26を含む。キャビティ26は、家具13の2つの側壁31，33と、後壁36の部分32とで特定される境界面によって画定される。
【００２３】
図1aは、折り畳み式スライドドアが閉じた位置にあり、折り畳み式スライドドアに用いられる射出装置1を示す。図1bは、射出装置の一部を示し、具体的には、ハート形曲線の係止部8で構成され、射出部材を解放可能に係止するための係止装置と、係止部8に支持されるロック部材9を示す。より詳しくは、ロック部材9はピボットレバーで構成される。ロック部材9の自由端にはピン62が配置されている。ハート形曲線の係止部8の凹部には、折り畳み式スライドドアが閉じた位置にあるとき、ピン62が係合する。ロック部材9は、スライダ23に回転可能に取り付けられている。スライダ23は、中間レバー24を介して、バネ7の端部61に可動に接続されている。中間レバー24は、可動に設けたバネホルダ22を含む。折り畳み式スライドドアが閉じた位置にあるときは、力蓄積手段7であるバネは、力が充填された状態にある。その状態においては、ロック装置により力蓄積手段7に蓄えられたエネルギーは、解放されない状態に保たれている。
【００２４】
ロック装置のロック解除は、折り畳み式スライドドア2の2枚のドア板3，4がヒンジ式に相互連結されている領域10を押圧することによって行われる。この場合、折り畳み式スライドドア2は、閉じた位置より後方である押圧された位置に動く。その押圧された位置は、図2a〜図2cに示されている。
【００２５】
図1bと図2bを比較すると分かるように、閉じた位置から押圧された位置に動く過程において、制御ピン62がハート形曲線の係止部8の凹部から抜け出す。これにより、折り畳み式スライドドア2が解放され、力蓄積手段7に蓄えられたエネルギーが解放される。この結果、引っ張り状態にあるバネ7が収縮し、可動に設けられたバネの端部61が固定して設けられたバネの端部60に向かって移動する。そして、可動に設けたバネホルダ22およびそれと一体の中間レバー24全体も案内駆動される。この案内駆動は、スライダ23およびガイドトラック54，59，51で実行される。
【００２６】
図2aと図3aとを比較すると分かるように、中間レバー24の移動は、射出部材5であるレバー17を回転運動させる。図3a〜図3cは、力蓄積手段7が実質的に完全にエネルギーを放出してしまった状態の射出装置1を示す。レバー17の回転運動は、折り畳み式スライドドア2の開く方向である折り畳み動作に変換される。これは、レバー17の自由端18に回転可能に取り付けられたローラー19によりなされる。これは、ローラー19が折り畳みスライドドアに配置された走行支持体28に当接することによりなされる。
【００２７】
図2cおよび図3cの比較から分かるように、折り畳み式スライドドア2は射出装置により動かされ、折り畳み動作を始める。この場合、共通の仮想平面にあった2枚のドア板3，4の閉じた位置から2枚のドア板3，4が互いに180°とは異なる内角6を含む開いた位置に動く。したがって、折り畳み動作は、閉じた状態の面である仮想平面と実質的に垂直な方向11に向かってなされる。
【００２８】
図3bから分かるように、力蓄積手段7に力が蓄積されていない状態では、ロック部材9の制御ピン62は、ガイドトラック54の端部、すなわちハート形曲線の係止部8とは反対側の端部に達している。
【００２９】
最後に、折り畳み動作中、射出装置1も、折り畳み式スライドドア2を仮想平面に平行な方向12、すなわち縦長のキャビティ26が存在する方向に移動する。この場合、ドア板3に回転可能に取り付けられた被連結部材29は、家具13のトップパネル27に設けられたガイド装置34に沿ってある距離を移動する。このガイド装置34は、被連結部材29を可能な限りスムーズに移動させることができる構成を有する。
【００３０】
射出装置1によって実現された折り畳み動作の後、力蓄積手段7に貯められた力が全て出尽くしても、慣性により、折り畳み式スライドドア2はさらに移動する。この場合、折り畳み式スライドドア2のドア板3は、ローラー19から離間する。この結果、2枚のドア板3，4が互い成す内角6もさらに小さくなる。エネルギーを使い切ると、折り畳み式スライドドア2は停止する。その場合、図4a〜図4cに示される位置に達する。
【００３１】
ローラー19がもはや走行支持体28と接触しなくなっても、図3aと図4aとを比較すると分かるように、被連結部材29は仮想平面に平行な方向12、すなわち、縦長のキャビティ26に向かってさらに移動する。
【００３２】
被連結部材29が折り畳み式スライドドア2に係合している状態にある領域、すなわち被連結部材29の係合領域においては、被連結部材29が連結部材16に連結されている。連結部材16は、その一時的結合のために凹部55を有する。連結部材16もまた、仮想平面に平行で且つ縦長のキャビティ26に向かう方向12に沿って案内されて移動される。この場合の案内は、ガイドトラック53，48（図13参照）により成される。図4aの位置では、連結部材16はある位置に達しており、その位置では、連結部材16に設けたローラーの形態を有する制御部材14は、初めて制御輪郭部材15に接触し、力蓄積手段7に力を蓄え始める。
【００３３】
折り畳み式スライドドア2の更なる開放のためにユーザが介入する。ユーザは、ドア板3の自由端を握って縦長のキャビティ26の方向、すなわち、折り畳み式スライドドア2の仮想平面に平行な方向12に力を加える。それにより、折り畳み式スライドドア2は、図5、図6、図7に示す中間位置を超えて移動し、完全に折り畳まれた状態（図8参照）に達する。
【００３４】
ユーザによって折り畳み式スライドドア2に伝達されたエネルギーの一部は、力蓄積手段7に力を蓄積するために使用される。より具体的には、折り畳みスライドドア2の継続的な開く動作の過程で、折り畳みスライドドア2が開かれる。
【００３５】
詳細には、力蓄積手段7は、被連結部材29と結合されている連結部材16が、仮想平面に平行な方向12、すなわち縦長のキャビティ26の方向に向かって移動することにより、力が蓄積される。詳しくは、連結部材16の移動により、連結部材16上のローラー14を介して、制御輪郭部材15が回動される。制御輪郭部材15の回動は、力伝達部材25を介して、射出部材5のレバー17を回動し、中間レバー24が再び図1に示す元の閉じた時の位置に戻される。この結果、バネ7が引っ張られ、エネルギーが力蓄積手段7に蓄積される。
【００３６】
制御輪郭部材15の構成は、最初、ユーザが加える力はわずかで、次第に力の増加が必要になるようになっている。まず、折り畳み式スライドドア2を停止状態から加速させる必要があるので、この構成は有利である。
【００３７】
図5a〜図5cは、力蓄積手段7に力が蓄えられる動作の中間位置を示している。
図6a〜図6cは、射出装置1の状態であって、力蓄積手段7に再び完全に力が充填された状態を示す。この状態になると、ロック部材9の制御ピン62は、ハート形曲線の係止部8の凹部に再び係合する。これにより、力蓄積手段7に蓄積された力を受けている射出部材5は、ロック装置により再びロックされる。
【００３８】
力の充填プロセスが終了すると、連結部材16が回転する。このために、ガイドトラック53に湾曲部分が設けられている。回転運動により、折り畳み式スライドドア2に設けた被連結部材29への連結は解除される。折り畳み式スライドドア2は、図7a~図7cに示す中間位置から、妨害されることなく、図8cに示す折り畳み位置まで、更に移動させることができる。この場合、射出装置1は、図6a〜図6cに示す状態のままで維持される。
【００３９】
この折り畳み位置において、ユーザは折り畳み式スライドドア2をキャビティ26内に収納することが可能になる。そのため、ユーザは、折り畳み式スライドドア2が折り畳まれた状態で力を加える。すなわち、家具13の後壁36の方向に向かって、ドアパック体に力を加える。その場合、折り畳み式スライドドア2のドア板4は、好ましくは、ヒンジ38を介してキャリア部材37に取り付けられている。また、キャリア部材37は、側壁31に形成されたガイド63により縦長キャビティ26の奥行方向に移動可能に取り付けられている。
【００４０】
折り畳み式スライドドア2がキャビティ26内に完全に収納された位置からキャビティの外側へ排出された位置への移動を補助するために、ユーザによる最初の力が加えられた後、折り畳み式スライドドア2をキャビティ26から自動的に移動させる駆動装置を設けることができる。
【００４１】
さらに、折り畳まれた位置から広げられた位置にドア板3，4を展開するための展開装置を設けることもできる。図8cに示すように、キャビティ26の外側の位置に達した直後に、展開装置が作動するようになる。折り畳み式スライドドア2はキャビティ26から自動的に移動されるだけでなく、わずかに展開された位置にもたらされる。折り畳み式スライドドア2を再び閉じた位置に移動させるために、ユーザはドアを把持する場所を選択することができる。折り畳み式スライドドア2が閉じた位置では、2枚のドア板3，4が共通の仮想平面に配置される。
【００４２】
図8a〜図8cに示す完全に扉2が開いた位置から、完全に閉じた位置への移行が図9〜図12に示されている。図12は、図1にも示されていた閉じた位置を示している。
【００４３】
最初、折り畳み式スライドドア2または被連結部材29は仮想平面に平行な方向12に移動されるが、このときはキャビティ26から離れる方向に移動する。被連結部材29が連結部材16に接触するまで移動される（図10参照）。それまでは、射出装置1の状態は変化していない。
【００４４】
ここで、図10と図11を比べれば分かるように、連結部材16は、被連結部材29によって、再び元の位置に到達するまで運ばれる。この間、射出装置1の他の部分においては何も変化しない。
【図１ａ）】
0006450844.tif 000002
【図１ｂ）】
0006450844.tif 000003
【図１ｃ）】
0006450844.tif 000004
【図２ａ）】
0006450844.tif 000005
【図２ｂ）】
0006450844.tif 000006
【図２ｃ）】
0006450844.tif 000007
【図３ａ）】
0006450844.tif 000008
【図３ｂ）】
0006450844.tif 000009
【図３ｃ）】
0006450844.tif 000010
【図４ａ）】
0006450844.tif 000011
【図４ｂ）】
0006450844.tif 000012
【図４ｃ）】
0006450844.tif 000013
【図５ａ）】
0006450844.tif 000014
【図５ｂ）】
0006450844.tif 000015
【図５ｃ）】
0006450844.tif 000016
【図６ａ）】
0006450844.tif 000017
【図６ｂ）】
0006450844.tif 000018
【図６ｃ）】
0006450844.tif 000019
【図７ａ）】
0006450844.tif 000020
【図７ｂ）】
0006450844.tif 000021
【図７ｃ）】
0006450844.tif 000022
【図８ａ）】
0006450844.tif 000023
【図８ｂ）】
0006450844.tif 000024
【図８ｃ）】
0006450844.tif 000025
【図９ａ）】
0006450844.tif 000026
【図９ｂ）】
0006450844.tif 000027
【図９ｃ）】
0006450844.tif 000028
【図１０ａ）】
0006450844.tif 000029
【図１０ｂ）】
0006450844.tif 000030
【図１０ｃ）】
0006450844.tif 000031
【図１１ａ）】
0006450844.tif 000032
【図１１ｂ）】
0006450844.tif 000033
【図１１ｃ）】
0006450844.tif 000034
【図１２ａ）】
0006450844.tif 000035
【図１２ｂ）】
0006450844.tif 000036
【図１２ｃ）】
0006450844.tif 000037
【図１３】
0006450844.tif 000038